(57)【要約】本発明は、連絡する孔隙と、その孔隙中に含まれ、第１の生体分子から形成されるプローブとを有する坦体層（１、１ａ、１ｂ）を備える、偽造防止標識に関する。その場での標識の迅速かつ信頼性のある識別を可能にするために、プローブを含む第１の標識面（６）と、プローブを含まない第２の基準面（７）とを備える坦体層（１、１ａ、１ｂ）が、本発明に従って提供される。【選択図】図１ａ
2004521342.tif 000002
【特許請求の範囲】
【請求項１】
物品上に提供される偽造防止標識の識別のためのプロセスであって、該標識は、第１の生体分子で形成されたプローブを内部に有する連絡孔隙を有する坦体層（１、１ａ、１ｂ）を備え、
該坦体層（１、１ａ、１ｂ）は、該プローブを含む第１の標識面（６）および該プローブを含まない第２の基準面（７）を備え、
該プロセスは、以下の工程：
ａａ）該坦体層（１、１ａ、１ｂ）を、該第１の生体分子に少なくとも部分的に相補的に形成される第２の生体分子を含む識別剤（１１）に含浸する工程、および
ｂｂ）該坦体層（１、１ａ、１ｂ）中で該第１の生体分子と該第２の生体分子との間で生じる反応を識別する工程、
を含み、
該標識面（６）が観察され、該標識面（６）から放射する蛍光シグナルが分析され、該基準面の観察によって確認が行われる、プロセス。
【請求項２】
工程ｂｂ）における前記坦体層（１、１ａ、１ｂ）が、特定の波長の光で照射され、蛍光反応が、第２の生体分子に対する第１の生体分子の特異的な結合が観察されることを示す、請求項１に記載のプロセス。
【請求項３】
前記坦体層（１、１ａ、１ｂ）が、光透明材料または反射材料から調製される、請求項１または２のいずれか１項に記載のプロセス。
【請求項４】
前記坦体層（１、１ａ、１ｂ）が、以下の材料：セルロース、ニトロセルロース、ナイロン、ポリアクリルアミドゲル、多孔性ＳｉＯ2、不織ガラス繊維材料の１つから調製される、請求項１〜３のいずれか１項に記載のプロセス。
【請求項５】
前記標識面が、前記プローブを含む異なる生体分子の混合物とともに提供される、請求項１〜４のいずれか１項に記載のプロセス。
【請求項６】
前記プローブが、以下の生体高分子：合成一本鎖核酸またはそれらの天然アナログおよび／または合成アナログ、抗原、タンパク質（例えば、抗体、抗体フラグメント、抗体もしくは抗体フラグメントの誘導体、核酸に結合するタンパク質）、レセプター、リガンドの１つから形成される、請求項１〜５のいずれか１項に記載のプロセス。
【請求項７】
前記プローブが、特定の幾何学的配置において前記坦体層（１、１ａ、１ｂ）に適用される、請求項１〜６のいずれか１項に記載のプロセス。
【請求項８】
前記プローブが、印刷プロセス、好ましくは、インクジェット印刷ヘッドを用いて、前記坦体層（１、１ａ、１ｂ）に適用される、請求項１〜７に記載のプロセス。
【請求項９】
前記坦体層（１、１ａ、１ｂ）が、第１の適用面（５ａ）を備え、該適用面（５）が、第１の経路（８）（単数または複数）を介して、標識面（６）（単数または複数）に接続される、請求項１〜８のいずれか１項に記載のプロセス。
【請求項１０】
前記第１の適用面（５ａ）が、第２の経路（９）（単数または複数）を介して、基準面（７）（単数または複数）に接続される、請求項１〜９のいずれか１項に記載のプロセス。
【請求項１１】
第２の適用面および／またはさらなる適用面（５、５ａ、５ｂ）が提供され、それらが、１つ以上の標識面（６）および／または基準面（７）に接続される、請求項１〜１０のいずれか１項に記載のプロセス。
【請求項１２】
前記識別剤（１１）が、毛細管力により、前記適用面（５、５ａ、５ｂ）から前記標識面（６）および／または基準面（７）まで、第１の経路および／または第２の経路に沿って運ばれる、請求項１〜１１のいずれか１項に記載のプロセス。
【請求項１３】
前記坦体層（１、１ａ、１ｂ）が、保護層（３）で少なくとも部分的に覆われる、請求項１〜１２のいずれか１項に記載のプロセス。
【請求項１４】
前記保護層（３）が、透明であるように設計される、請求項１〜１３のいずれか１項に記載のプロセス。
【請求項１５】
前記坦体層（１、１ａ、１ｂ）が、接着剤またはラミネーションにより、標識される前記物品に固定される、請求項１〜１４のいずれか１項に記載のプロセス。
【請求項１６】
前記坦体層（１、１ａ、１ｂ）が、接着フィルム、好ましくは、可剥性保護フィルムを有する接着フィルムを用いて、固定される側の表面上に提供される、請求項１〜１５のいずれか１項に記載のプロセス。
【請求項１７】
染料が前記識別剤（１１）に添加され、それが前記坦体層（１、１ａ、１ｂ）への拡散を示す、請求項１〜１６のいずれか１項に記載のプロセス。
【請求項１８】
前記識別剤（１１）が、ペンまたはピペットの毛細管（１０）により、前記坦体層（１、１ａ、１ｂ）上に形成される前記適用面（５、５ａ、５ｂ）に添加される、請求項１〜１７のいずれか１項に記載のプロセス。
【請求項１９】
連絡孔隙と連絡孔隙の内部にある第１の生体分子から形成されるプローブとを有する坦体層（１、１ａ、１ｂ）を有する偽造防止標識であって、
該坦体層（１、１ａ、１ｂ）が、該プローブを含む第１の標識面（６）および該プローブを含まない第２の基準面（７）を備えることを特徴とする、偽造防止標識。
【請求項２０】
前記坦体層（１、１ａ、１ｂ）が、光透明材料または反射材料から調製される、請求項１９に記載の偽造防止標識。
【請求項２１】
前記坦体層（１、１ａ、１ｂ）が、以下の材料：セルロース、ニトロセルロース、ナイロン、ポリアクリルアミドゲル、多孔性ＳｉＯ2、不織ガラス繊維材料の１つから調製される、請求項１９または２０に記載の偽造防止標識。
【請求項２２】
前記標識が、前記プローブを含む異なる生体分子の混合物から形成される、請求項１９〜２１のいずれか１項に記載の偽造防止標識。
【請求項２３】
前記プローブが、以下の生体高分子：合成一本鎖核酸またはその天然アナログおよび／または合成アナログ、抗原、タンパク質（例えば、抗体、抗体フラグメント、抗体もしくは抗体フラグメントの誘導体、核酸に結合するタンパク質）、レセプター、リガンドの１つから形成される、請求項１９〜２２のいずれか１項に記載の偽造防止標識。
【請求項２４】
前記プローブが、特定の幾何学的配置において坦体層（１、１ａ、１ｂ）に適用される、請求項１９〜２３のいずれか１項に記載の偽造防止標識。
【請求項２５】
前記プローブが、印刷プロセス、好ましくはインクジェット印刷ヘッドを用いて、前記坦体層（１、１ａ、１ｂ）に適用される、請求項１９〜２４のいずれか１項に記載の偽造防止標識。
【請求項２６】
前記坦体層（１、１ａ、１ｂ）が、第１の経路（８）（単数または複数）を介して、前記標識面（６）（単数または複数）に接続された第１の適用面（５ａ）を備える、請求項１９〜２５のいずれか１項に記載の偽造防止標識。
【請求項２７】
前記第１の適用面（５ａ）が、第２の経路（９）（単数または複数）を介して、前記基準面（７）（単数または複数）に接続された、請求項１９〜２６のいずれか１項に記載の偽造防止標識。
【請求項２８】
第２適用面および／またはさらなる適用面（５、５ａ、５ｂ）が提供され、それらが、１つ以上の標識面（６）および／または基準面（７）に接続される、請求項１９〜２７のいずれか１項に記載の偽造防止標識。
【請求項２９】
前記坦体層（１、１ａ、１ｂ）が、保護層（３）で少なくとも部分的に覆われる、請求項１９〜２８のいずれか１項に記載の偽造防止標識。
【請求項３０】
前記保護層（３）が、透明であるように設計される、請求項１９〜２９のいずれか１項に記載の偽造防止標識。
【請求項３１】
前記坦体層（１、１ａ、１ｂ）が、接着剤またはラミネーションにより、標識される物品に固定される、請求項１９〜３０のいずれか１項に記載の偽造防止標識。
【請求項３２】
前記坦体層（１、１ａ、１ｂ）が、接着フィルム、好ましくは可剥性の保護フィルムを有する接着フィルムを用いて、その固定される側の表面上に提供される、請求項１９〜３１のいずれか１項に記載の偽造防止標識。
【請求項３３】
請求項１９〜３２のいずれか１項に記載の偽造防止標識、および前記プローブに対応する第２の生体分子を含む識別剤（１１）とを備えるキット。
【請求項３４】
前記プローブが、以下の生体高分子：合成一本鎖核酸またはその天然アナログおよび／または合成アナログ、抗原、タンパク質（例えば、抗原、抗原フラグメント、抗体もしくは抗体フラグメントの誘導体、核酸に結合するタンパク質）、レセプター、リガンドの１つから形成される、請求項３３に記載のキット。
【請求項３５】
前記識別剤が、前記第１の生体高分子に少なくとも部分的に相補的に形成される分子ビーコンである、請求項３３または３４に記載のキット。
【請求項３６】
前記識別剤（１１）が、毛細管（１０）、ペンまたはピペット中に含まれる、請求項３３〜３５のいずれか１項に記載のキット。
【請求項３７】
染料が、前記識別剤（１１）に混合される、請求項３３〜３６のいずれか１項に記載のキット。
【発明の詳細な説明】
【技術分野】
【０００１】
本発明は、偽造防止標識のためのプロセス、請求項１９の導入部分に記載の偽造防止標識、ならびに偽造防止標識を備えるキットに関する。
【０００２】
本発明は、詳細には、安全、コード化および識別の分野に関する。
【背景技術】
【０００３】
独国特許出願公開第１９７  ３８  ８１６  Ａ１号から、標識のために固体に結合した核酸を使用することが公知である。しかし、検出のためには、この核酸を、抽出プロセスによって上記固体から除去しなければならない。次いで、溶液中に存在する核酸を、特定の反応（たとえば、ＰＣＲ）を用いて増幅しなければならない。その後の工程において、この増幅された核酸配列を分析する。このプロセスは、時間がかかり、労働集約的であるため、現場での信頼性の検出のためには適切でない。さらに、標識のために適用される核酸の抽出は、すべての固体の場合において可能なわけでもなく、望ましいわけでもない。
【０００４】
固体上に提供される標識の識別のためのさらなるプロセスが、独国特許出願公開第１９８  １１  ７３０  Ａ１号から公知である。この標識は、プローブとして、固相に結合したヌクレオチド配列を有する。このヌクレオチド配列は、対応するヌクレオチド配列と接触し、このヌクレオチド配列は、さらに、検出剤の固相に結合する。このプロセスは、標識面と検出面との間の密接な接触を可能にする平面に関してのみ適切である。プローブおよび検出剤の固相への結合は、手間がかかる。固相に結合した標識分子および検出分子は、機械的応力に対して不安定であり、かつ汚れ易く、これは標識の安定性が低いことに関与している。
【０００５】
物品の偽造防止標識のために、特定の核酸を含むインクを使用することは、モデル形成的な米国特許第５，１３９，８１２号から公知である。この標識は、高価な物品の隠れた位置に適用される。複数の物品を識別可能なように標識できるために、上記のインクを用いて、異なる標識が適用される。このような方法で適用される標識の識別は、さらなる核酸を特定の核酸に結合させ、この結合を識別することによって行われる。このために、この標識は物品から除去され、多段階のプロセスによって（例えば、抗体を用いて、または放射性標識の識別を用いて）検出されなければならない。この標識の識別は、複雑である。これは、その現場で行なうことはできない。類似のプロセスは、ＷＯ  ８７／０６３８３から公知である。
【０００６】
欧州特許出願公開第０  ７４５  ６９０  Ａ２号は、「分子ビーコン」およびハイブリダイゼーションのためのそれらの使用を記載する。標識の検出のための使用は、この文書には開示されていない。
【０００７】
米国特許第５，８６６，３３６号は、蛍光体で標識されたプライマーを記載する。このプライマーは、ポリメラーゼ連鎖反応を用いて増幅される。ハイブリダイズ状態において、プライマーのリフォールディングが誘発される。プライマー上で提供される蛍光体の蛍光挙動は、このように変化する。この公知のプロセスは、標識の迅速な識別には不適切である。というのは、コスト集約的で、かつ時間のかかるポリメラーゼ連鎖反応を必要とするからである。
【０００８】
独国特許発明第１９９  ０１  ７６１号は、酸化還元電位を変化させることによる、ＤＮＡのハイブリダイゼーションの検出のためのプロセスを開示する。酸化還元電位のこのような変化は、問題を生じずに検出することはできない。この公知のプロセスは、同様に、標識を迅速かつ簡単に識別することができない。
【特許文献１】独国特許出願公開第１９７  ３８  ８１６  Ａ１号明細書
【特許文献２】独国特許出願公開第１９８  １１  ７３０  Ａ１号明細書
【特許文献３】米国特許第５，１３９，８１２号明細書
【特許文献４】国際公開第８７／０６３８３号パンフレット
【特許文献５】欧州特許出願公開第０  ７４５  ６９０  Ａ２号明細書
【特許文献６】米国特許第５，８６６，３３６号明細書
【特許文献７】独国特許発明第１９９  ０１  ７６１号明細書
【発明の開示】
【発明が解決しようとする課題】
【０００９】
本発明の１つの目的は、先行技術に記載の欠点を排除することである。詳細には、現場での標識の簡単かつ迅速な識別を行なうことができるプロセスおよび偽造防止標識が、特定される。
【課題を解決するための手段】
【００１０】
この目的は、請求項１、１９および３３の特徴によって達成される。請求項２〜１８、２０〜３２および３４〜３７は、さらなる有利な特徴を規定する。
【００１１】
本発明によれば、物品上に提供される偽造防止標識の識別のためのプロセスが提供され、この標識は、第１の生体分子で形成されたプローブを内部に有する連絡孔隙を有する坦体層を備え、上記坦体層は、上記プローブを含む第１の標識面およびそのプローブを含まない第２の基準面とを含み、上記プロセスは、以下の工程を含む：
ａａ）坦体層を、第１の生体分子に少なくとも部分的に相補的に形成された第２の生体分子を含む識別剤に含浸する工程、および
ｂｂ）第１の生体分子と第２の生体分子との間の坦体層中で生じる反応を識別する工程であって、標識面が観測され、標識面から放射する蛍光シグナルが分析され、基準面の観察によって確認が行われる、工程。
【００１２】
提案されたプロセスにより、偽造防止標識、およびその標識の迅速かつ単純な識別を行なうことができる。
【００１３】
第１のプローブを含む標識面および第２のプローブを含まない基準面を備える坦体層によって、測定された蛍光シグナルの確認が可能である。基準面の観察により、測定のバックグラウンドを確定することができる。従って、標識の識別は、高い信頼性で行なうことができる。用語「基準面」は、一般的な意味で理解されるべきである。坦体層自身が標識される物品の構成部分である場合、基準面はまた、標識された物品の表面でもよい。基準面が、坦体層の含浸およびバックグラウンドの測定が行われる前に識別剤を用いて観察される場合、基準面はまた、標識面と同じであってもよい。この後に、坦体層を、識別剤で含浸することもできるし、次いで、坦体層から放射する蛍光シグナルを測定し、分析することもできる。
【００１４】
識別のために、標識面および基準面が測定され、特に、それらから放射する蛍光シグナル間の差が分析される。この分析は、適切な手動装置を使用して自動的に行なうことができる。
【００１５】
標識面から放射する蛍光シグナルの観察により、１段階で、第１の生体分子と第２の生体分子との間に生じる特異的な反応を検出することができ、特に、洗浄工程またはさらなる化学試薬の添加を省くことができる。特に、坦体層から標識のために使用される第１の生体分子を除去し、次いで増幅し、次いで、第２の生体分子の添加によって検出を行なう必要はない。さらに、識別剤の適用の後に、洗浄工程等を行なう必要もない。また、標識の識別のために、標識された物品から坦体層を除去する必要はない。本願の提案された標識は、単純かつ安価に生成することができる。偽造が増加しているブランド製品（例えば、たばこ、衣服、自動車交換パーツなど）の標識のためには、非常に適している。提案された標識を使用して、ブランド製品の製造者が、例えば、真正性について卸売業者にストックされている品物をその場で確認することが可能である。
【００１６】
有利な実施形態によれば、工程ｂｂ）における坦体層は、特定の波長の光で照射され、第１の生体分子が第２の生体分子へ特異的に結合したことを示す蛍光反応が測定される。このような検出反応は、適切な手動装置を用いて、その場で単純に行なうことができる。
【００１７】
坦体層は、光透明材料または反射材料から調製することができる。例えば、この材料は、不織ガラス繊維材料であってもよい。ガラス繊維は、鏡面仕上げされていてもよい。この測定方法を用いて、坦体層からの屈折光の光量は、かなり増加し得る。
【００１８】
坦体層は、以下の材料の１つから首尾よく調製される：セルロース、ニトロセルロース、ナイロン、ポリアクリルアミドゲル、多孔性ＳｉＯ2、不織ガラス繊維材料。
【００１９】
標識面は、プローブを有する異なる生体分子の混合物を用いて提供することができる。このことにより、標識の偽造に対する安全性が増加する。潜在的な偽造者に対して、坦体層に含まれるどの生体分子が、マーカーとして使用されているかはわからない。さらに、この生体分子を分析または識別することはほとんど不可能である。
【００２０】
プローブは、以下の生体高分子の１つから首尾よく形成される：合成一本鎖核酸またはそれらの天然アナログおよび／または合成アナログ、抗原、タンパク質（例えば、抗体、抗体フラグメント、抗体もしくは抗体フラグメントの誘導体、核酸結合タンパク質）、レセプター、リガンド。もちろん、同様の活性な生体分子もまた、プローブの生成のために使用することができる。
【００２１】
さらなる実施形態によれば、プローブは、特定の幾何学的配置で、坦体層に適用され得る。印刷プロセス（例えば、インクジェット印刷ヘッドまたはスクリーン印刷）を用いて、プローブを坦体層に適用することができる。その幾何学的配置は、特定のパターン（例えばバーコード）であってもよい。
【００２２】
坦体層が第１の経路（単数または複数）を介して、標識面（単数または複数）に接続する第１の適用面を有することがさらに有利である。第１の適用面はまた、第２の経路（単数または複数）を介して、基準面（単数または複数）に接続され得る。第２の適用面および／またはさらなる適用面もまた提供され、これらは１つ以上の標識面および／または基準面に接続される。上述の場合において、識別剤は、適用面から標識面および／または基準面への毛細管力により、第１の経路および／または第２の経路に沿って運ばれる。坦体層は、保護層で少なくとも部分的に首尾よく覆われ、この保護層は、透明であるように設計してもよい。上述の特徴を用いて、例えば、保護層中の開口部として、適用面を設計することが可能である。この場合には、適用面から除去された整列した標識面および／または基準面は、保護層によって覆うこともでき、それによって汚染から保護される。このことにより、提案されたプロセスの信頼性がさらに増す。透明なデザインの保護層は、標識の光学的な蛍光識別を可能にする。
【００２３】
さらなる有利な実施形態の特徴によれば、坦体層は、接着剤を用いて、またはラミネーションにより、標識される物品に固定される。坦体層は、接着フィルム、好ましくは、可剥性保護フィルムを有する接着フィルムを用いて、固定された側の表面上に提供され得る。従って、坦体層は、自己接着性標識の形式で設計され得る。
【００２４】
さらなる実施形態によれば、染料が、識別剤に添加され得、それにより坦体層中での拡散が示される。これは、標識面および／または基準面が適用面からずっと離れて配置される場合、特に有利である。この場合、毛細管力を用いて、標識面および／または基準面まで識別剤が実際に運ばれたか否かを、染料により確認することができる。識別剤の拡散の制御はまた、導電率測定により行なうこともできる。
【００２５】
識別剤は、毛細管を用いて、坦体層上に形成される適用面に添加され得る。適切な特定の量の識別剤はまた、毛細管（小腔）中に単純な様式で含めることができる。しかし、識別剤はまた、ペンまたはピペット中に含めることもできる。
【００２６】
本発明のさらなる規定によれば、偽造防止標識の場合において、坦体層が、プローブを含む第１の標識面およびプローブを含まない第２の基準面を備えて提供される。このような標識は、光学的な蛍光法を用いてその場で単純に、迅速に、かつ高い信頼性を有して識別され得る。標識された物品の識別のために、このような標識を除去し、複雑な湿式化学法を用いて処理することは必要でない。標識の有利な実施形態のために、以下の実施形態が参照され、また、本願発明の偽造防止標識にも対応して適用する。
【００２７】
本発明のさらなる規定によれば、本発明の偽造防止標識、およびプローブに対応する第２の生体分子を含有する識別剤を有するキットが提供される。
【００２８】
キットの特に有利な実施形態によれば、上記の識別剤を、毛細管中に含めることができる。毛細管は、ペン様ホルダー（例えば、フェイス（ｆａｃｅ）のような）中に含めることができる。
【発明を実施するための最良の形態】
【００２９】
本発明の例示的な実施形態は、図面を参照して、以下により詳細に示される。
【００３０】
図１ａ〜３において、偽造防止標識の種々の実施形態が示される。偽造防止標識は、各場合においてラベルの形式でなされている。
【００３１】
図１ａおよび１ｂに示される第１の偽造防止標識において、連絡する孔隙を備える坦体層は、参照番号１で示される。坦体層は、例えば、フィルターペーパー、不織ガラス繊維材料などからなることができる。坦体層に含まれるのは、第１の生体分子、例えば、３ｐｍｏｌの３０ｂｐ長を有するオリゴヌクレオチドである。生体分子は、例えば、共有結合的に坦体層に結合することができる。坦体層１は、坦体２に適用される。これは、プラスチックフィルムまたは金属ホイルまたはスライドガラスであってもよく、坦体層１と向き合っていない側面は、圧力感受性の接着剤でコーティングされる。しかし、両面接着テープを用いて、坦体層１を坦体２に固定することもまた、可能である。被覆層は、例えば、シリコン化プラスチック層またはシリコン化された紙からなってもよい。保護層３は、坦体層１の周囲を覆う。保護層３は、坦体層１の固定およびその保護のために役立つ。保護層３中に提供される開口部４は、適用面５を描写する。適用面５は、液体の識別剤を受け入れるために役立つ。適用面５に適用される液体の識別剤は、毛細管力により、坦体層１の内側に吸収される。
【００３２】
図１ａおよび１ｂに示される第１の偽造防止標識において、坦体層１は、互いに接続された３つの円状領域の形態で設計される。第１の円状領域は、標識面６を形成し、第１の円状領域と接続する第２の円状領域は、適用面５を形成し、適用面５と接続する第３の円状領域は、基準面７を形成する。このように形成された坦体層１は、次いで坦体２に適用される。坦体１は、保護層３（例えば、透明なプラスチックフィルムから調製される）で覆われる。第２の円状表面の領域において、保護層３は、適用面５を形成する円状開口部４を備える。この実施例において、標識面６のみが第１の生体分子を含む。適用面５および基準面７は、第１の生体分子を含まない。本発明の例示的な実施形態において、標識面６および基準面７は、保護層３によって完全に覆われている。識別または参照のためにその中に含まれる生体分子は、特に十分に保護されている。液体の識別剤を適用面５に適用することによって、識別剤は、毛細管力により、標識面６および基準面７の両方に吸収される。第１の生体分子と、識別剤中に含まれ、第１の生体分子に対応する第２の生体分子（これは、例えば、分子ビーコンとして設計され得る）との反応は、必要に応じてそこで生じる。その反応において生じる蛍光は、透明な保護層３によって屈折し、識別シグナルとして測定され得る。
【００３３】
図２ａおよび２ｂに示される第２の偽造防止標識において、第１の適用面５ａは、標識面６に接続されている。第２の適用面５ｂは、基準面７に接続されている。第１の適用面５ａおよび標識面６は、第１の坦体層１ａの一部であり、それらに接続する第２の適用層５ｂおよび基準面７は、第２の坦体層１ｂの一部である。第１の坦体層１ａおよび第２の坦体層１ｂは、互いに分離されている。この実施形態において、第１の適用面５ａおよび第２の適用面５ｂを、異なる識別物質とともに供給することも可能である。
【００３４】
図３は、第３の偽造防止標識の上面図を示す。適用面５は、ここでは第１の経路８を介して複数の標識面に接続されている。さらに、適用面５は、第２の経路９を介して複数の基準面７に接続されている。適用面５に適用される液体の識別剤は、第１の経路８および第２の経路９を介して、毛細管力により標識面６および基準面７に運ばれる。標識面６および基準面７は、各場合において、保護層３によって完全に覆われている。
【００３５】
相対的に、図４は、Y軸にｍVで示した蛍光シグナルの強度を示す。バックグラウンド、分子ビーコンとのハイブリダイゼーションの結果が示され、ハイブリダイズされた部分に沿って、６、４、２または０個の塩基の誤対合が生じている。２個の塩基の誤対合でさえ、本発明を用いて識別することができる。４個の塩基の誤対合では、顕著に低いシグナルを導く。このことは、本発明のプロセスの高い特異性を裏付ける。
【００３６】
図５において、Ｙ軸にｍＶでのシグナル強度が示される。１つの同じ分子ビーコンを用いて、識別剤を繰り返し使用したシグナルの再現性を、ここでは試験した。生じるシグナルは、平均値と比較して４．７％の偏差を有していることがわかる。
【００３７】
図６において、特定の坦体層の充填の再現性が示される。Ｙ軸に適用されるのは、各場合において坦体層に含まれる識別剤の体積である。充填の程度は、重量法によって決定した。平均値と比較して７．２％の平均偏差を示す。
【００３８】
図７は、本プロセスの例示的な実施形態の模式的な断面図を示す。この場合において、液体の識別剤は、１μｌの量で毛細管１０に入れられる。毛細管１０は、例えば、ペン中のフェイス（ｆａｃｅ）の形式で保持することができる。識別剤は、Ｄｉｇ  Ｅａｓｙｈｙｂバッファー（Ｒｏｃｈｅ，  Ｂｉｏｍｅｄｉｃａｌｓ）中に１ｐｍｏｌ／μｌの濃度で、分子ビーコンを首尾よく含む。黄色染料、例えば、食用染料Ｅ１０４は、溶液に添加することができる。識別剤１１は、毛細管１０から坦体層１の適用面５まで滴下することができる。適用面５の領域において、坦体層１は、保護層３によって覆われていない。標識面６は、ここでは、連絡する孔隙を備える第１の層（坦体層１の上の層）として形成され、坦体層１上に配置される。基準面７は、ここでは、連絡する孔隙を備える第２の層から形成され、同様に坦体層１上に配置される。第１の層および／または第２の層は、例えば、ナイロン膜（Ａｍｅｒｓｈａｍ  Ｈｙｂｏｎｄ  Ｎ＋）、第１の生体分子として層内に吸収される３０ｂｐオリゴヌクレオチド３ｐｍｏｌから調製することができる。標識面６と基準面７の両方は、透明プラスチックフィルムとして設計される保護層３で覆われる。
【００３９】
適用面５に適用される識別剤は、毛細管力により、標識面６および基準面７に運ばれる。生じる可能性のあるシグナルは、透明な保護層３を介して屈折する。
【００４０】
図８ａ〜８ｄにおいて、本発明のプロセスが、個々のステップにおいて再び模式的に示される。
【００４１】
毛細管力により標識面６および基準面７へと吸収される識別剤は、励起光源１２を用いて照射される。標識面６中に含まれる第１の生体分子は、識別物質１１中に含まれる第２の生体分子（これは、第１の生体分子と少なくとも部分的に対応するように設計される）とハイブリダイズする。第２の生体分子は、分子ビーコンとして首尾よく設計される。分子ビーコンは、３’末端または５’末端に、ＮＩＲ蛍光体およびこの蛍光体に適した消光剤とともに提供することができる。都合よく、Ｃｙ５（Ａｍｅｒｓｈａｍ）は、蛍光体として使用され、ＢＨＱ３（Ｂｉｏｓｅａｒｃｈ  Ｔｅｃｈｎｏｌｏｇｉｅｓ  Ｉｎｃ．）は、消光剤として使用される。ハイブリダイゼーションにおいて、分子ビーコンの二次構造の改変が起こる。分子ビーコン上で提供される蛍光体標識を、ハイブリダイゼーションを行った後に、励起光源１２（例えば、レーザーダイオード）を用いて励起することができる。励起光は、従来のポリマー性Ｒｏｓｃｏｌｅｎｅ８６２−Ｔｒｕｅ  Ｂｌｕｅ−フィルター（Ｒｏｓｃｏ）を用いて濾波することができる。蛍光体から照射された蛍光は、保護層３から屈折し、光ダイオードにより観察することができる。蛍光シグナルの発生は、標識の真正性を示す。
【００４２】
図８ａ〜８ｄにみられるように、標識の真正性は、その場で迅速かつ単純に確認することができる。試験手順は、約１０秒しかかからない。洗浄プロセスまたは標識された物品からの標識の除去は必要でない。提案されたプロセスおよび偽造防止標識は、大量生産の製品の標識のために顕著に適している。それらの識別は、安価に製造可能な手動装置を用いて行なうことができる。
【図面の簡単な説明】
【００４３】
【図１】図１ａは、第２の偽造防止標識の上面図を示す。図１ｂは、図１ａの断面図を示す。
【図２】図２ａは、第２の偽造防止標識の上面図を示す。図２ｂは、図２ａの断面図を示す。
【図３】図３は、第３の偽造防止標識の上面図を示す。
【図４】図４は、異なるＤＮＡ配列の関数としてのシグナル強度を示す。
【図５】図５は、蛍光シグナルの再現性を示す。
【図６】図６は、坦体に組み込まれた識別剤の量の再現性を示す。
【図７】図７は、偽造防止標識および識別剤の模式的な断面図を示す。
【図８】図８ａ〜８ｄは、模式的な断面図における一連のプロセスを示す。
【符号の説明】
【００４４】
１  坦体層
２  坦体
３  保護層
４  開口部
５  適用面
６  標識面
７  基準面
８  第１の経路
９  第２の経路
１０  毛細管
１１  識別物質
１２  励起光源
【図４】
2004521342.tif 000003
【図５】
2004521342.tif 000004
【図６】
2004521342.tif 000005
【図８】
2004521342.tif 000006
【国際公開パンフレット】
2004521342.tif 000007
2004521342.tif 000008
2004521342.tif 000009
2004521342.tif 000010
2004521342.tif 000011
2004521342.tif 000012
2004521342.tif 000013
2004521342.tif 000014
2004521342.tif 000015
2004521342.tif 000016
2004521342.tif 000017
2004521342.tif 000018
2004521342.tif 000019
2004521342.tif 000020
2004521342.tif 000021
2004521342.tif 000022
2004521342.tif 000023
2004521342.tif 000024
2004521342.tif 000025
2004521342.tif 000026
2004521342.tif 000027
2004521342.tif 000028
2004521342.tif 000029
2004521342.tif 000030
2004521342.tif 000031
2004521342.tif 000032
2004521342.tif 000033
2004521342.tif 000034
2004521342.tif 000035
【国際公開パンフレット（コレクトバージョン）】
2004521342.tif 000036
【国際調査報告】
2004521342.tif 000037
2004521342.tif 000038
2004521342.tif 000039
2004521342.tif 000040
2004521342.tif 000041
2004521342.tif 000042